(57)【要約】【課題】  電動送風機の重量を軽く構成すると共にファンカバーの剛性を確保した電動送風機を提供すること。【解決手段】  課題を解決する為には、電動機と、電動機の回転軸に固定されたファンと、ファンを覆うファンカバーとを有し、ファンカバーは、炭素繊維を含有する樹脂により形成することで課題を解決することができる。  このように構成することにより、ファンカバーの剛性を確保すると共に重量を軽くできるので、性能を維持するための剛性を保ちつつ軽量な電動送風機を構成することが可能である。【選択図】図４
2016142235.tif 000002
【特許請求の範囲】
【請求項１】
電動機と、
該電動機の回転軸に固定されたファンと、
該ファンを覆うファンカバーと、
を有し、
前記ファンカバーは、炭素繊維を含有する樹脂により構成されたことを特徴とする電動送風機。
【請求項２】
前記ファンカバーには、前記ファンの回転により空気を吸い込む開口となる吸込み開口が形成され、
前記ファンカバーを前記電動機に組み付けた状態において、前記ファンは、前記吸込み開口側で前記ファンカバーと接触することを特徴とする請求項１に記載の電動送風機。
【請求項３】
前記ファンカバーには、前記吸込み開口に流入する気流を整流する整流部が一体に取り付けられたことを特徴とする請求項１に記載の電動送風機。
【請求項４】
前記電動機の外郭は筒状のハウジングであり、
前記ファンカバーは、前記ハウジングの外周に嵌り込み前記電動機に固定され、
前記ファンカバーの前記ハウジングと重なり合う部分の外周部分には、他の部位より厚い強化部が形成されていることを特徴とする請求項１に記載の電動送風機。
【請求項５】
前記電動機の外郭は筒状のハウジングであり、
前記ファンカバーは、前記ハウジングの内周に嵌り込み前記電動機に固定されることを特徴とする請求項１に記載の電動送風機。
【発明の詳細な説明】
【技術分野】
【０００１】
本発明は、電動送風機に関する。
【背景技術】
【０００２】
従来から、電動送風機は、電動機の回転軸に取り付けられたファンと、このファンを覆うファンカバーを有する。そして、このファンカバーには、空気を取込む吸気口が形成され、この吸気口を囲むように、ファンカバーとの間に隙間を空けて回転自在にファンが配置されている。
このような構成の電動送風機において、ファンカバーは、ファンの保護や、ファンが回転駆動する際のファンカバー内部の気圧の変化による変形を防止のための剛性を確保するため、アルミや鉄などの金属により形成されている（例えば、特許文献１参照）。
【先行技術文献】
【特許文献】
【０００３】
【特許文献１】特開平７−２０８３９０号公報（第１図）
【発明の概要】
【発明が解決しようとする課題】
【０００４】
しかしながら、従来の構成は、ファンカバーの剛性を確保するために金属で構成しているので、電動送風機の重量が重くなり、電動送風機を搭載する機器において重量が増加する課題がある。
【０００５】
本発明は上記課題を解決するものであり、電動送風機の重量を軽く構成すると共にファンカバーの剛性を確保した電動送風機を提供することを目的とする。
【課題を解決するための手段】
【０００６】
上記の課題を解決するためには、電動機と、電動機の回転軸に固定されたファンと、ファンを覆うファンカバーとを有し、ファンカバーは、炭素繊維を含有する樹脂により形成することで課題を解決することができる。
【発明の効果】
【０００７】
本発明によれば、ファンカバーの剛性を確保すると共に重量を軽くでき、性能を維持するための剛性を保ちつつ軽量な電動送風機を構成することができる。
【図面の簡単な説明】
【０００８】
【図１】実施の形態１に係る電動送風機の斜視図
【図２】図１のＡ−Ａ断面図
【図３】図２の要部Ｂの拡大図
【図４】実施の形態２に係る電動送風機の斜視図
【図５】実施の形態３に係る電動送風機の斜視図
【図６】図５のＣ−Ｃ断面図
【図７】実施の形態３の変形例の斜視図
【図８】実施の形態４に係る電動送風機の断面図（断面位置は実施の形態１と同様）
【図９】図８の要部Ｄの拡大図
【発明を実施するための形態】
【０００９】
以下、本発明の各実施の形態１について図面を用いて説明する。
（実施の形態１）
図１〜図２を参照すると、電動送風機１０は、電動機部２０及び送風機部３０から構成されている。
本実施の形態の電動機部２０は、整流子形電動機であって、一端面側が開口した円筒形状で底があるハウジング２１と、このハウジング２１に設けられるエンドブラケット２２によって区画される空間内に、固定子２３及び回転子２４が収納される。
【００１０】
固定子２３は、界磁巻線２３ａを施した固定子鉄心２３ｂをハウジング２１に固定している。また、回転子２４は、回転軸２４ａに嵌着した電機子鉄心２４ｃ、及び、この電機子鉄心２４ｃに巻回した電機子巻線２４ｂと接続される整流子２４ｄを有し、エンドブラケット２２に設けられた軸受２５とハウジング２１に設けられた軸受２６により回転自在に支持して構成されている。
【００１１】
ハウジング２１の外周壁部には、螺子止めして固定されたブラシ保持器２７が取り付けられている。このブラシ保持器２７には、カーボンブラシ２８が収納されており、バネ等で付勢されて整流子２４ｄの外周面に当設して給電するように構成されている。
そして、ハウジング２１の内部に上記のとおり各部が設けられた状態において、エンドブラケット２２がハウジング２１の開口を塞ぐようにねじ止めにより取り付けられる。
【００１２】
次に、送風機部３０は、エンドブラケット２２の上に螺子止めされた固定案内羽根３１と、エンドブラケット２２及び固定案内羽根３１を貫通して伸びる回転軸２４ａに螺子３２によって固定された遠心ファン３３と、固定案内羽根３１及び遠心ファン３３を覆うファンカバー３４とを備えている。
遠心ファン３３は、上面シュラウド３３ａと下面シュラウド３３ｄとこの両部材の間に設けられる複数のブレード３３ｃからなる。
【００１３】
この遠心ファン３３が回転することにより送風機部３０で発生した気流Ｗは、エンドブラケット２２に形成した開口２２ａから電動機部２０内に導かれ、電動機部２０内を冷却した後、ハウジング２１の外周壁に形成した排気孔２１ａから機外に排出するように構成されている。
【００１４】
次に、図１〜図３を参照して、ファンカバー３４について説明する。
ファンカバー３４は、カーボン繊維を含有する樹脂により一体成型されている。ファンカバー３４は、円筒部３４ａと、この円筒部３４ａの上方を覆う上面部３４ｂを有し、上面部３４ｂの中央に開口する吸込み開口３４ｃが形成されている。
この吸込み開口３４ｃは、円筒部３４ａの上方に突出した位置にあり、吸込み開口３４ｃの周縁部３４ｄと円筒部３４ａの間には、平面と曲面を組み合わせて接続することで上面部３４ｂを形成している。
【００１５】
つまり、吸込み開口３４ｃは、ファンカバー３４の頂部に位置し、上方向に開口する。このようなファンカバー３４の形状は、電動送風機１０を側面からみた場合、遠心ファン３３の上面形状に沿った山形状に形成され、その頂部に吸込み口３４ｃが開口している。
尚、吸込み口３４ｃの開口内周面の形状は、ベルマウス形状となっている。
【００１６】
次に、このように構成されたファンカバー３４は、内部にハウジング２１の上端側外周が接するように、ハウジングを圧入することで、ファンカバー３４とハウジング２１は固定される。
図３を参照すると、このように、ハウジング２１にファンカバー３４を取り付けた状態で、遠心ファン３３の上面シュラウド３３ａの吸込口３３ｂを形成する吸込口端部３３ｃは、周縁部３４ｄの下面である周縁部下面３４ｅに接触した状態となる。周縁部３４ｄは、上面部３４ｂより厚く形成されている。
【００１７】
尚、吸込口３３ｂは、巣込み開口３４ｃと上下に対向しており、吸込み開口３４ｃを通った気流をファン３３の内部に吸込み開口である。
また、吸込口端部３３ｃと周縁部下面３４ｅが接触した状態は、電動送風機の各部を組み立てた状態であって動作前の状態である。電動送風機が動作して遠心ファン３３が回転すると、接触している吸込口端部３３ｃが周縁部下面３４ｅを削り、吸込み開口３４ｃを囲むように、周縁部下面３４ｅに凹部３４ｆが形成される。そして、この凹部３４ｆの内部に吸込口端部３３ｃが入り込んだ状態で、遠心ファン３３が回転する。
【００１８】
従って、電動送風機の動作に伴い、吸込口端部３３ｃが周縁部下面３４ｅを削り形成される凹部３４ｆと、この凹部３４ｆに入り込んだ吸込口端部３３ｃにより、ラビリンス構造が形成される。
つまり、上面シュラウド３３ａの上側の空間から吸込み開口３４ｃに至る部分に、ラビリンス構造が形成される。つまり、上面シュラウド３３ａとファンカバー３４に挟まれた空間から吸込み開口３４ｃに、気流が流れにくくなるシール構造が形成される。
【００１９】
以上のように、ファンカバー３４を、カーボン繊維を含有する樹脂により一体成型により構成することで、軽くて剛性の高い構成にすることができ、電動送風機１０の軽量化を図ることができる。
また、製造時に組み立てた状態では、吸込口端部３３ｃが周縁部下面３４ｅと接しており、電動送風機の動作に伴い、吸込口端部３３ｃが周縁部下面３４ｅを削り形成される凹部３４ｆと、この凹部３４ｆに入り込んだ吸込口端部３３ｃにより、ラビリンス構造が形成されるので、上面シュラウド３３ａの上側とファンカバー３４との間の空間から吸込み開口３４ｃに、気流が流れにくくなるシール構造が形成される。
これにより、吸込み開口３４ｃから吸い込まれた気流が、上面シュラウド３３ａとファンカバー３４の隙間を通って再び吸込み開口３４ｃへと流れる気流の逆流を防止することができ、電動送風機の性能を向上させることができる。
【００２０】
（実施の形態２）
次に、図４を参照して、実施の形態２の説明をする。尚、実施の形態１と同じ構成については同じ符号を付し、説明を省略する。
ファンカバー３４の上面部３４ｂは、平面状に形成された部位を有しており、上面部３４ｂの中心には吸込み開口３４ｃが開口している。
また、上面部３４ｂには、上方に向けて突出するフィン３４ｇが複数設けられている。このフィン３４ｇは、ファンカバー３４に一体に形成されている。フィン３４ｇは、吸込み開口３４ｃに向けて、渦形状をなしている。吸込み開口３４ｃに流入する気流は、遠心方向に旋回することから、フィン３４ｇは、この旋回する流れに沿った渦形状となっている。
【００２１】
以上のようにフィン３４ｇを設けることにより、吸込み開口３４ｃに流入する気流の流れを整流し、気流転向時の圧損を抑制することができるファンカバー３４を構成することができる。つまり、フィン３４は、吸込み開口３４ｃに流入する気流を整流する整流部となる。特に、フィン３４ｇはファンカバー３４と一体成型されているので、従来のように板金プレス加工でフィンを個別に形成して、ファンカバー３４に取り付ける必要がなく、安価に容易に製造することが可能である。
【００２２】
（実施の形態３）
次に、図５〜図７を参照して、実施の形態３の説明をする。尚、実施の形態１と同じ構成については同じ符号を付し、説明を省略する。
図５〜図６を参照すると、ファンカバー３４の外周面には、外周面を取り囲むように周方向に延びる外方向に突出するリブ３４ｈが一体に形成されている。このリブ３４ｈａの位置は、ハウジング２１にファンカバー３４が取り付けられた状態において、ハウジング２１とファンカバー３４が重なり合う部分の外側に位置する。つまり、ファンカバー３４の内部に、ハウジング２１を圧入して接する部位の近傍に位置している。
【００２３】
このようにリブ３４ｈａを設けることにより、ファンカバー３４に対するハウジング２１の圧入部分の強度を高めることができる。つまり、リブ３４ｈａは、ファンカバー３４の強度を高める強化部となる。
これにより、金属で構成されているハウジング２１がファンカバー３４内部に圧入される場合であっても、ファンカバー３４の破損を防止することができる。
尚、リブの形状は、図７で示すように、軸方向に延びる形状のリブ３４ｈｂをファンカバー３４の周囲に複数設ける形態でもよい。
【００２４】
（実施の形態４）
次に、図８〜図９を参照して、実施の形態３の説明をする。尚、実施の形態１と同じ構成については同じ符号を付し、説明を省略する。
ファンカバー３４の外周面（円筒部３４ａの外周面）の下端には、ファンカバー３４の内側に凹む段部３４ｉが形成されている。ハウジング２１は円筒形状をなしており、上を向く開口は円形状である。
このように構成されたファンカバー３４は、段部３４ｉが形成されている先端側からハウジング２１の内部に圧入して、内周に嵌り込み、ファンカバー３４とハウジング２１が開口から固定される。このように固定することで、電動送風機の外形を小さく構成することができる。
【００２５】
特に、段部３４ｉの深さは、ハウジング２１の厚さ以下とすることで、電動送風機の外形をより小さく構成することができる。
また、電動送風機を動作させる際に熱によりファンカバー３４が膨張することで、ファンカバー３４とハウジング２１の嵌合保持力が大きくなり、ファンカバー３４がハウジング２１から外れにくくなる。
さらに、ファンカバー３４の段部３４ｉが位置する部分を内周側に厚くしたり、内周面にリブを設けたりすることで、ファンカバー３４の段部３４ｉが形成されている位置の強度を高めるように構成してもよい。
【符号の説明】
【００２６】
１０  電動送風機、２０  電動機部、２１  ハウジング、２２  ブラケット、２３  固定子、２４  回転子、２４ａ  回転軸、２５  軸受、２６  軸受、２７  ブラシ保持器、２８  ブラシ、３０  送風機部、３１  固定案内羽根、３２  螺子、３３  遠心ファン、３４  ファンカバー
【図１】
2016142235.tif 000003
【図２】
2016142235.tif 000004
【図３】
2016142235.tif 000005
【図４】
2016142235.tif 000006
【図５】
2016142235.tif 000007
【図６】
2016142235.tif 000008
【図７】
2016142235.tif 000009
【図８】
2016142235.tif 000010
【図９】
2016142235.tif 000011